Podtech/llm-jp-corpus-v4-ja_patent huggingface dataset:
(57)【要約】【課題】  夏期の暑熱下における家禽、特に採卵用家禽の食下量、産卵率及び日卵量を向上せしめることができる家禽飼料用添加剤及び家禽飼料の提供。【解決手段】  重炭酸ソーダ及び有機クロムを含有することを特徴とする家禽飼料用添加剤及び家禽飼料。【選択図】  なし【特許請求の範囲】
【請求項１】
重炭酸ソーダ及び有機クロムを含有することを特徴とする家禽飼料用添加剤。
【請求項２】
重炭酸ソーダと有機クロムの配合割合が
【数１】
2006000061.tif 000006
であることを特徴とする請求項１記載の家禽飼料用添加剤。
【請求項３】
請求項１又は２記載の添加剤を含有することを特徴とする家禽飼料。
【発明の詳細な説明】
【技術分野】
【０００１】
本発明は、夏期の暑熱下における家禽、特に鶏等の採卵用家禽の食下量、産卵率及び日卵量を向上せしめる家禽飼料用添加剤及び家禽飼料に関する。
【背景技術】
【０００２】
一般に、家禽、特に採卵用家禽は、夏期の暑熱下において種々のストレスを受け、食下量、産卵率、日卵量等が減少し、また斃死率も増加することが知られている。これらの防止を目的として、例えば、グルコースと重炭酸ソーダを配合した飼料を給与する方法が知られている（特許文献１参照）。
【０００３】
また、有機クロムを添加した飼料が、鶏の体重や飼料要求率の増加に有効であることも知られている（非特許文献１，２参照）。
【０００４】
しかしながら、斯かる従来の飼料によっても依然として夏期の暑熱による悪影響は避けられず、食下量、産卵率及び日卵量の減少防止については、未だ十分満足の行く結果が得られていなかったのが実状であった。
【特許文献１】特許第２９１６８８０号公報
【非特許文献１】畜産の研究  第５２巻  第１１号、１２０７−１２１２、“家禽における有機クロム”
【非特許文献２】畜産の研究  第５２巻  第１２号、１３０７−１３１０、“家禽における有機クロム”
【発明の開示】
【発明が解決しようとする課題】
【０００５】
本発明は、上記の如き従来の実状に鑑み、夏期の暑熱下における家禽、特に採卵用家禽の食下量、産卵率及び日卵量を向上せしめることができる飼料を提供することを課題とする。
【０００６】
本発明者は、当該課題を解決すべく種々研究を重ねた結果、重炭酸ソーダ及び有機クロムを給与すれば、特に優れた食下量、産卵率及び日卵量の減少防止効果が得られることを見出し、本発明を完成した。
【課題を解決するための手段】
【０００７】
すなわち、本発明は、重炭酸ソーダ及び有機クロムを含有することを特徴とする家禽飼料用添加剤により、上記課題を解決したものである。
【発明の効果】
【０００８】
本発明の家禽飼料用添加剤を配合した飼料を給与すれば、夏期の暑熱下においても、家禽、特に採卵用家禽の食下量、産卵率及び日卵量を向上せしめ、かつ体重の減少を防止することができる。
【発明を実施するための最良の形態】
【０００９】
本発明において用いられる重炭酸ソーダは、通常、市販されているものを使用することができ、特に限定されない。
【００１０】
本発明において用いられる有機クロムとしては、例えば、クロム酵母、ピコリン酸クロム、ニコチン酸クロム、プロピオン酸クロム、GTF（Glucose Tolerance Factor）クロム等が挙げられ、特にクロム酵母が好適に使用される。また、本発明において、これらの有機クロムは１種又は２種以上を適宜混合して用いることもできる。
【００１１】
本発明の家禽飼料用添加剤中における重炭酸ソーダと有機クロムの配合割合は
【００１２】
【数１】
2006000061.tif 000002
【００１３】
の範囲が好ましい。
【００１４】
本発明の家禽飼料用添加剤においては、重炭酸ソーダ及び有機クロムの他、必要に応じて、ビタミン類、ミネラル類、アミノ酸類、香料、酸味料、調味料、乳化剤、安定剤等を適宜添加配合することができる。
【００１５】
このようにして得られる本発明の家禽飼料用添加剤を配合した飼料を家禽に与える際の量は例えば、重炭酸ソーダとして０．１〜１．０質量％及び有機クロム由来のクロムとして５０〜５，０００ppbの範囲で給与することが好ましい。
【００１６】
本発明の家禽飼料用添加剤を配合した飼料は、特に採卵用の鶏やアヒル等の家禽に効果的である。
【００１７】
また本発明の飼料原料としては、とうもろこし、マイロ、ふすま、大麦、からす麦、魚粉、アルファルファミール、フィッシュソリュブル、小麦粉、大豆粕、脱脂米ぬか、なたね油粕、綿実油粕、サフラワー油粕、動物性油脂、ビタミン・ミネラル類、炭酸カルシウム、リン酸カルシウム等が用いられる。
【実施例】
【００１８】
次に、本発明をさらに具体的に説明するために実施例を掲げるが、本発明は、以下の実施例のみに限定されるものではない。
【００１９】
実施例１〜３並びに比較例１
表１に示した配合原料を均一に混合して、それぞれ飼料を得た。尚、表１中、基礎飼料の配合組成は表２に示したとおりである。
【００２０】
【表１】
2006000061.tif 000003
【００２１】
【表２】
2006000061.tif 000004
【００２２】
試験例
供試鶏（鶏種ジュリア、３３６日令〜３７１日令）を１区あたり１０羽として４区設け、基礎飼料のみ、並びに実施例１〜３及び比較例１で得た各飼料をそれぞれ給与した。試験開始から７日間、平均温度１８．０℃（最高温度２８．１℃、最低温度１０．７℃）および平均湿度４５．３％（最高湿度７２．０％、最低湿度１７．０％）の条件下で飼育した後、８日目以降２８日目迄の間、平均温度３２．３℃（最高温度４５．３℃、最低温度２５．８℃）および平均湿度３４．１％（最高湿度５７．０％、最低湿度１２．０％）の条件下で飼育した。
飼育終了後、各区における食下量、産卵率、日卵量を調べた。その結果は表３のとおりであった。
【００２３】
【表３】
2006000061.tif 000005
(57)【要約】【課題】  長時間保存しても優れた食感を有する茹麺類の製造法を提供することを目的とする。    【解決手段】茹麺に１０５〜１５０℃の飽和水蒸気を直接接触させて処理することからなる茹麺類の製造法。【選択図】      なし【特許請求の範囲】
【請求項１】
茹麺に１０５〜１５０℃の飽和水蒸気を直接接触させて処理することを特徴とする、茹麺類の製造法。
【発明の詳細な説明】
【技術分野】
【０００１】
本発明は、茹麺類の製造法、特に食感の経時劣化の少ない茹麺類を製造する方法に関する。
【背景技術】
【０００２】
茹麺類は、茹で上げ直後のいわゆる釜上げ状態の時が一番粘弾性を有し、俗に云う「こし」のある美味しい茹麺とされている。この茹麺は、時間の経過と共に「こし」がなくなり著しく食感が低下してしまう欠点があった。
従来、これらの欠点を解消する方法として、穀粉およびその他の原料を混練して生地とする工程でトランスグルタミナーゼを添加する、麺類の製造法（特許文献１参照）あるいは主原料としての穀類およびその他の副原料を混練して生地とする麺類の製造工程において、トランスグルタミナーゼとグリアジンまたはグルテニンを添加・存在させる、麺類の製造方法（特許文献２参照）が知られている。
【特許文献１】特開平６−１４７３３号公報
【特許文献２】特開平１０−２７６６９５号公報
【発明の開示】
【発明が解決しようとする課題】
【０００３】
しかしながら、近年、消費者にあっては、なるべく添加剤等を使用しない製品を求める傾向が強くなってきているのが現状である。そこで本発明者等は、添加剤を用いることなく、茹麺類の食感を長時間保持する方法について種々研究を重ねた結果本発明を完成するに至った。
【課題を解決するための手段】
【０００４】
すなわち、本発明は、茹麺に１０５〜１５０℃の飽和水蒸気を直接接触させて処理することを特徴とする茹麺類の製造法である。
【発明の効果】
【０００５】
本発明方法によって処理することによって得られた茹麺は、１日前後保存しても優れた食感および風味を保持することができる。
【発明を実施するための最良の形態】
【０００６】
本発明は、茹麺類に１０５〜１５０℃（１２０〜４８０kPa）の飽和水蒸気を直接接触させて処理することが必要である。この茹麺類を水蒸気で処理する具体的手段としては、例えば１０５〜１５０℃の飽和水蒸気を噴射させて直接茹麺類に接触させる方法が採用できる。
【０００７】
前記水蒸気の温度が１０５℃より低いと「こし」のない食感のものしか得られず、一方１５０℃を超えると茹麺類の組織が破壊され、かつ「こし」のない食感となるので好ましくない。
水蒸気による処理時間は１０〜３００秒間、特に３０〜１８０秒間の範囲が好ましい。
【０００８】
本発明の茹麺の種類としては、うどん、そば、そうめん、冷麦、冷麺、ラーメン、マカロニ、スパゲッティ等が挙げられるが、特に冷麺、ラーメン、マカロニ、スパゲッティに最適である。
【０００９】
本発明方法で処理された茹麺類は、酸処理、レトルト処理、冷蔵保存、冷凍保存した場合にも粘性、弾力性を有するいわゆる「こし」のある食感を有する。
【実施例】
【００１０】
次に本発明をさらに具体的に説明するために実施例を掲げるが、本発明は、以下の実施例にのみ限定されるものではない。
【００１１】
実施例１〜４、比較例１〜３
スパゲッティを茹でて茹スパゲッティを得た（歩留２３０％）。得られた茹スパゲッティに表１に示す飽和水蒸気を直接噴射して接触させ密封した。密封１日後に加熱し、１０名のパネラーにより表２による評価基準により評価した。その評価結果を示せば表１のとおりである。
【００１２】
【表１】
2006000063.tif 000002
【００１３】
【表２】
2006000063.tif 000003
(57)【要約】【課題】  本発明は、貝類の旨味成分を貝類の表面からも流出させることのない貝類剥き身の製造方法を提供することを目的とするものである。【解決手段】  原料貝類を海水内にて砂出しを行ない、この砂出しを行なった貝類を夾雑物などを除去しながら選別して手剥きを行い、流水中にて異物を除去しながら洗浄を行い、この貝類を所定量づつ計量して真空パック容器に充填し、その後、約1００℃前後で７分間貝類への熱伝導が均一となるようにボイルした後、冷水糟にて常温まで冷却した後、−３５℃以下で急速凍結するようにしたことを特徴とする貝類剥き身の製造方法である【選択図】      なし【特許請求の範囲】
【請求項１】
原料貝類を海水内にて砂出しを行ない、この砂出しを行なった貝類を夾雑物などを除去しながら選別して手剥きを行い、流水中にて異物を除去しながら洗浄を行い、この貝類を所定量づつ計量して真空パック容器に充填し、その後、約1００℃前後で７分間貝類への熱伝導が均一となるようにボイルした後、冷水糟にて常温まで冷却した後、−３５℃以下で急速凍結するようにしたことを特徴とする貝類剥き身の製造方法。
【発明の詳細な説明】
【技術分野】
【０００１】
本発明は、あさり、はまぐり等の二枚貝の貝類剥き身の製造方法に関し、貝類の剥き身を新鮮なまま風味をそこなわず、そして貝類の旨味を味わうことができる製造方法に関するものである。
【背景技術】
【０００２】
従来から、あさり、はまぐり、かき、赤貝等の二枚貝は、混ぜご飯や雑炊、汁物、揚物、和え物などの和食の具材料として、また、炒め物、ボンゴレ、グラタン、ドリア、コロッケ等の中華や洋食の具材料として多用されている。これらの二枚貝類は、活きている貝類を調理に用いることが、貝類の旨味を充分に引き出すことができるものであるが、保存や調理のし易さから冷凍食品に加工して製造されているのが一般的である。
【０００３】
しかしながら、生剥き身の貝類を未処理状態で冷凍処理を行うと、解凍時にはドリップが出てしまい、調理に際して表面のヌメリ処理や生臭さが残り生貝類とは違ったものになってしまう。また、調理完了品を冷凍する場合には、貝類を調理の素材として用いることができないため、汎用性に欠けるという問題を有している。更に貝類のボイル製品の場合には、生貝類のもつ自然の風味や呈味成分がボイル工程中にその大部分が流出してしまい、最終製品には旨味と栄養成分が僅かしか残っていないものであった。
【０００４】
出願人は上記のような課題を解消するために、先に貝類の剥き身をハーフボイルして急速凍結することにより、貝類の旨味を残しながら、解凍処理の際にドリップが出ず、保存性があり、取扱いが便利な貝類剥き身の製造方法を開発した（特開２０００−１３９３３３）。
【０００５】
上記の従来技術によれば、貝類の夾雑物を除去しながら洗浄選別して手剥きをした貝類を９５℃以上、２０秒位加熱ブランチングを行なった後に、冷却し、急速凍結するものである。そのためにハーフボイルにより手剥きした貝類の表面から旨味成分が流出してしまうという課題を有していた。
【発明の開示】
【発明が解決しようとする課題】
【０００６】
この発明は、上記従来の製法方法が有している問題点を解消すると共に、貝類の旨味成分を貝類の表面からも流出させることのない貝類剥き身の製造方法を提供するのが目的である。
【課題を解決するための手段】
【０００７】
本発明は上記のような課題を解消しようとするもので、次のような手段を講じたものである。
【０００８】
特許を受けようとする発明は、原料貝類を海水内にて砂出しを行ない、この砂出しを行なった貝類を夾雑物などを除去しながら選別して手剥きを行い、流水中にて異物を除去しながら洗浄を行い、この貝類を所定量づつ計量して真空パック容器に充填し、その後、約1００℃前後で７分間貝類への熱伝導が均一となるようにボイルした後、冷水糟にて常温まで冷却した後、−３５℃以下で急速凍結するようにしたことを特徴とする貝類剥き身の製造方法である。
【発明の効果】
【０００９】
本発明によれば、生剥き身の貝類の旨味成分をそのまま残すことができると共に、解凍処理をした際にはドリップが出ないので調理が簡単となる。また、所定量ずつ真空パック状態で計量されているために汎用性のある料理具材料となる。
【実施例】
【００１０】
以下に本発明の実施例について表１の工程により説明すると、まず、原料貝類の鮮度状態や形状などを検査して冷蔵保存をする。原料貝類を海水温１５℃の温度で８時間〜１２時間の間、海水内にて蓄養して砂だしを行なう。この温度は貝類が自然に生息している海水温に近い状態を保つものであり、この間に数回海水を入れ替えて砂出し効果をより高いものとする。
【００１１】
次に貝類の選別及び手剥きを行ない、貝類の砂かみ、死貝、空貝、割れなどを選別除去し、特に夾雑物に注意して選別を行いながら、手剥きを行なう。
【００１２】
そして、流水中にて髪の毛やテグス、海藻、貝殻などの夾雑物を除去しながら手剥き貝類の洗浄を行なう。その後、身崩れや夾雑物の除去を行いながら所定量ずつ計量する。計量に際しては例えば１回の使用量５００ｇ位が望ましく、業務用及び家庭用により用途に応じて複数種類計量しても良い。計量後、所定のポリ袋に入れ、真空パック充填する。真空パックに際しては後工程の蒸煮工程とも関係するが、できるだけ平板状態となるように充填する。
【００１３】
次に真空パックされた貝類を約１００℃の温度で７分間加熱ボイルする。この際、貝類に対する加熱伝導が均一となるように注意を要する。その後。冷水糟にて常温まで冷却する。冷却後、−３５℃以下で急速凍結する。
【００１４】
【表１】
2006000019.tif 000002
【００１５】
剥き身貝類の最終製品としては、金属探査を行い、箱詰して−１８℃以下で保管される。
【調理例】
【００１６】
米４合と本発明製法による冷凍アサリの剥き身５００ｇとダシ汁４カップを用意した。米は常法通り研ぎ、その後、自然解凍したアサリの剥き身５００ｇとダシ汁４カップを電気炊飯器に入れ、炊き上げた。できあがった「あさりごはん」を混ぜ合わせ、喫食したところ、生剥き身のあさりを洗浄して用いた場合と比べて遜色のないものであった。
【産業上の利用可能性】
【００１７】
本発明は和食、中華、洋食の具材料として幅広く利用することができる。
(57)【要約】      （修正有）【課題】調味料容器独特のカーブを描いた縁や底のコーナー部分まで綺麗に洗うことのできるブラシを提供する。【解決手段】ステンレス素材でブラシ部分を巻きつけ、ブラシをまきつけた部分を長方形、あるいは楕円形状になるように湾曲させ元の直線部分に巻き付け固定する。【選択図】  図１
2006000266.tif 000002
【特許請求の範囲】
【請求項１】
ステンレスの柄にナイロン素材のブラシを巻きつけ、ブラシ部分を長方形状、あるいは楕円形状に形を固定した清掃用ブラシ。
【発明の詳細な説明】
【技術分野】
【０００１】
本発明は、醤油・お酢などの調味料容器のカーブしている縁や底などの洗いにくい部分を、容易に洗浄できるようにしたブラシに関するものである。
【背景技術】
【０００２】
グラスなどを洗うためのブラシやタワシ
【特許文献１】実明３５３０４７  実公昭３０−０１４４８４
【発明の開示】
【発明が解決しようとする課題】
【０００３】
醤油やお酢などの調味料容器を洗浄する場合、通常使用しているスポンジ、あるいは柄のついたグラス用のブラシやスポンジなどを使用しているが、従来の柄のついたブラシやスポンジはグラス用であるため、口が小さく容器の中が広くなっているような調味料容器を洗うのには適していない。
【０００４】
従来の柄のついたグラス用のブラシやスポンジは、握り柄部の延長にブラシを固定、あるいはステンレス素材でブラシ部分を巻きつけ固定した、いずれも直線のみの形状であったために、調味料容器独特のカーブを描いた縁や底のコーナー部分までは綺麗に洗えず、汚れが取れない。また、汚れを落とそうとしても、一苦労である。
【０００５】
本発明は、口が小さく容器の中が広くなっているような、独特のカーブを描く調味料容器を洗浄するのに適している構造を有したブラシの発明である。
【課題を解決するための手段】
【０００６】
ステンレス素材でブラシ部分を巻きつけ、ブラシをまきつけた部分を長方形、あるいは楕円形状になるように湾曲させ元の直線部分に巻き付け固定する。これにより片側は直線、片側はブラシがコの字型に突出した形状とする。
【発明の効果】
【０００７】
ブラシ部分を湾曲させることにより、ブラシ先端が一方向のみではなくあらゆる方向へ向くことになり、今まで洗いにくかったカーブ部分や容器の底やコーナー部分にもブラシがよく当たり、洗浄を容易にする。
【０００８】
さらに、ブラシ部分を湾曲させて片側だけを突出させることにより、口が小さく容器の中が広くなっているような容器独特のカーブ部分にブラシがよく当たるようになるため、洗いにくい容器の隅々までを洗浄できるようになる。
【０００９】
ブラシの長さや湾曲させる長さを変えることにより、小さな容器から大きな容器まで対応することが可能となる。
【実施例】
【００１０】
以下、本発明の実施の形態について説明する。
（イ）柄のステンレス素材にナイロンやブタ毛などのブラシ素材を巻き付け、握り柄部の延長にブラシを固定させる。
（ロ）固定したブラシ部分を長方形あるいは卵形のような形になるように湾曲させ、柄の先端をブラシ巻き付け開始部分へ巻きつけ接着して固定する。
（ハ）これにより片側は直線、片側はブラシがコの字型に突出した形状になる。
（ニ）ブラシ部分を湾曲させることにより、ブラシ先端が一方向のみではなくあらゆる方向へ向くことになり、今まで洗いにくかったカーブ部分や底のコーナー部分の隅々までを容易に洗浄することが可能な、容器洗浄ブラシになる。
（ホ）柄の部分にプラスチックを使用することにより、握りやすくそして強度を高めることも考えられる。
【図面の簡単な説明】
【００１１】
【図１】本発明の図（ブラシの先端を湾曲し固定した様子）。
【図２】本発明実施例の様子。
【図１】
2006000266.tif 000003
【図２】
2006000266.tif 000004
(57)【要約】【課題】  長い時間立ち続ける姿勢としてイベントの開始のための行列や、買い物の順番待ち、混み合う電車等の乗り物での立ち姿勢などがあり座るスペースが無く長い時間立ち続けると腰や脚に負担が掛かり苦痛であり疲れた。また立ち続けての連続作業は農業や製造業など多岐にわたり作業能率の低下や腰痛等の職業病の原因になっている。【解決手段】  主柱（２）と、この上端にＴ字型に交差し横架する横棒（３）さらに、この交差した所から象の鼻のように突き出たハンドル（４）を設け、横棒に跨るようにして臀部を添え体重を預け両脚と本発明の直立補助具の３点でバランスをとり腰や脚の負担を軽減する。丁度、臀部につっかい棒をしたような姿勢として使用する直立補助具【選択図】図２
2006000615.tif 000002
【特許請求の範囲】
【請求項１】
主柱（２）と、この上端にＴ字型に交差し横架する横棒（３）さらに、この交差する所から象の鼻のように突き出たハンドル（４）、主柱の地面に接するベース（１）からなる直立補助具
【発明の詳細な説明】
【技術分野】
【０００１】    この発明は長い時間立ち続ける時に体重を支えるための直立補助具に関するものである。
【背景技術】
【０００２】    立ち続ける姿勢としてイベントの開始のための行列や、買い物の順番待ち、立ち仕事、混み合う電車等の乗り物での立ち姿勢など長い時間立ち続けなければならない事がある。長い時間立ち続ける事は、腰や脚に負担が掛かり疲れるし、苦痛である。また、立ったままの姿勢で連続作業をすると腰痛等の原因や作業能率の低下につながる。
【特許文献１】特開２００１−０２５４０５
【特許文献２】特開２００１−３２１２１１
【特許文献３】特開２００３−０６１７２１
【発明の開示】
【発明が解決しようとする課題】
【０００３】  長い時間立ち続けることは、腰や脚に負担が掛かり疲れるし腰痛等の原因や作業能率の低下にもなっている。このため立ち続ける姿勢で腰や脚に掛かる体重の負担が軽減できる椅子でもなく杖でもないコンパクトな器具の発明が待たれていた。
【課題を解決するための手段】
【０００４】  主柱（２）の下端のベース（１）を地面に置き上端にＴ字型に交差し横架する横棒（３）に臀部を添え又は乗せハンドル（４）で臀部とフィットするよう調整する。主柱（２）の上端にＴ字型に交差する横棒（３）を跨ぐよう臀部を添える。臀部につっかい棒をした姿勢になる。両脚と本発明の直立補助具で体重を支えるため腰や脚に掛かる体重は大幅に軽減出来る。また、直立補助具を支点にし、両脚の三点で体重を支えるので地面の状態が斜面でも凹凸があっても体を支えることが出来る。なお下端のベース（１）の先端は接地面の状態により滑りにくい形状に変えて使用する。主柱（２）は身長に合わせ長さが調整できる。さらに主柱を弓なりにするとクッションになり腰や脚の負担が更に軽減されるし、鞄などに入れて持ち歩けるように折りたためるよおにすると便利である。
【発明の効果】
【０００５】  本発明は、椅子のように腰掛けを目的としたものでなく、ほぼ直立した姿勢でいながら腰や脚に掛かる体重の負担を軽減するために考案したものである。従って長時間立ち続けても疲れないし腰痛にもならない。本発明の直立補助具を支点にし、両脚でバランスを取るので立つ場所が狭かったり、斜面でも、揺れる状態でも３点で支えるので安定して対応できる。スペースを必要としないので座る広さのない場所でも臀部に添えて、つっかい棒のようにして使用すれば疲れない。また立ったままの姿勢で連続作業する場合、本発明の直立補助具をバンド等で腰に止めて使用すれば直立補助具を支点としているので上体を前後左右自由に動かせ作業能率が落ちない。シンプルな構成であるから椅子のように嵩張らないので行列のように座るスペースが無いときやダラダラ移動する時、電車で立っている時等は立った姿勢のまま移動出来、傍目には補助具を使用している事が分からない位の立ったままに近い姿勢が保て隣人に迷惑を掛けずに腰、脚に掛かる体重の軽減が出来る。
【発明を実施するための最良の形態】
【０００６】  本発明の直立補助具は、図１に示されるように主柱（２）と、この上端にＴ字型に交差し横架する横棒（３）さらに、この交差した所から象の鼻のよおに突き出たハンドル（４）と主柱の地面に接するベース（１）からなる。直立した姿勢で本発明の直立補助具のハンドルを持ち、これを跨ぐようにして横棒を臀部に添え浅く座るように体重を掛けハンドルで体と直立補助具が体にうまくフィットするように調整し両脚も使って体のバランスを取る。直立した姿勢であるが体重の殆どは、本発明の直立補助具に掛かるので腰、脚に掛かる負担は軽減でき疲れないし腰痛の原因にもならない。
【図面の簡単な説明】
【０００７】
【図１】本発明の使用斜視図
【図２】本発明の斜視図
【符号の説明】
【０００８】  １．ベース
２．主柱
３．横棒
４．ハンドル
【図１】
2006000615.tif 000003
【図２】
2006000615.tif 000004
(57)【要約】【課題】  傘を差したとき手元を持った反対側の傘下からはみ出した肩や腕が雨に濡れてしまうため、傘の中棒（主柱）が体の中央に移動できて肩や腕などが濡れない傘の発明が待たれていた。【解決手段】  傘を差したとき手元を持った反対の肩や腕等が傘下からはみ出して濡れないよう傘の中棒（主柱）が体の中央に移動できるように中棒に平行な脇柱を設け２本の柱を２枚のプレートで組み自在に動く４辺型とする。中棒と脇柱は平行に移動出来るので、この４辺型を閉じたり開いたりすると中棒は移動して体の中央にスライドできる。【選択図】図１
2006000616.tif 000002
【特許請求の範囲】
【請求項１】
自在に動く４辺型等の１辺に中棒（主柱）これに平行する、もお１辺に脇柱を設け辺の移動により脇柱等が移動出来る傘
【発明の詳細な説明】
【技術分野】
【０００１】    この発明は傘を差した時、傘の中棒（主柱）が体の中央に来るよおに手元の位置が移動出来る傘に関するものである。
【背景技術】
【０００２】    傘の中棒（主柱）が傘の左右の中心にあるため傘を差した時，手元を持った手の側に傘の中心が寄るため反対側の肩や腕などが傘下の中に入らず雨にさらされ濡れてしまう。
【特許文献１】特開２０００−２０１７１１
【特許文献２】特開平０９−１４０４２６
【発明の開示】
【発明が解決しようとする課題】
【０００３】  傘を差した時、手元を持った手の反対側の肩や腕などが雨に濡れてしまう。これは傘の中棒（主柱）が傘の中心にあり、この先に手元が付いているため持った手の反対側の肩や腕が傘下からはみ出るため濡れてしまう。このため傘を差したとき傘の中心が体の中央に来るよお手元の位置が体の中心から約１０ｃｍ〜２０ｃｍ位移動できれば解決出来る。この不便を解決するため手元が移動できる傘の発明が待たれていた。
【課題を解決するための手段】
【０００４】  中棒（１）に４辺が自在に動く４辺型の金具等のメカニズムの器具を設ける。この器具の１辺を中棒にセット又は中棒とし、この辺に平行する辺を脇柱（２）として、脇柱の先に手元（３）を付ける。中棒と脇柱は２辺のプレート等（４）により組まれ閉じたり、開いたりが自在に出来る仕掛けの脇柱が出来る。  傘を差したとき中棒に平行な脇棒は中棒に平行に移動出来るため体の中央に位置するので肩や腕が傘下からはみだして雨に濡れることが防げる。
【発明の効果】
【０００５】  本発明は、以上の構成だからシンプルで簡単に手元の位置が移動できる。従って傘を差したとき傘の中棒（主柱）が体の中央に移動出来るので、肩や腕などが雨に濡れる事が無くなり便利である。
【発明を実施するための最良の形態】
【０００６】  本発明の傘は、図１に示されるように中棒（１）に平行して脇柱（２）を設けこの先に手元（３）をつける。中棒に平行する脇柱は２辺のプレート等（４）により組まれ４辺が自在にうごける仕掛けのため、この４辺型は閉じたり、開いたり出来。従って傘を開いて脇柱を開くと傘の中心が体の中央に移動することが出来る。また、傘を閉じると中棒のＣ面と脇柱のＤ面が接して並んだ状態に収まる。  なお、この４辺型をコンパクトにするためプレート等（４）を二つのプレート等（５）（６）に区切り中間のＢでつなげＢ点を折れ点として、閉じるとき屈折点を矢印ａの方向に引き上げて閉じる構造にするとコンパクトになる。
【図面の簡単な説明】
【０００７】
【図１】本発明の側面図（開いた状態）
【符号の説明】
【０００８】  １．中棒
２．脇柱
３．手元
４．プレート
５．プレート
６．プレート
Ａ．留め金
Ｂ．屈折点
【図１】
2006000616.tif 000003
(57)【要約】【課題】墓参時、生花や水桶とともに、火のついた線香束を持ち運ぶのは不便であり、特に両手が塞がった状態で、火のついた線香束を持ち運ぶのは非常に困難であった。【解決手段】火のついた線香束を持ち運ぶための容器の製作。線香桶の本体１に長いとって２を設け、その内部に長い柄４のついた網状の内底３を設ける。線香桶の底より網状の内底３が上部に止まるように線香桶の縁に掛けることができる網部の柄４と、桶底の空気穴５を設ける。【選択図】図２
2006000607.tif 000002
【特許請求の範囲】
【請求項１】
火のついた線香束を持ち運ぶことができ、また、安全に取り出すことができることを特徴とする線香桶
【請求項２】
線香桶の底より網状の内底が上部に止まるように、線香桶の縁に掛けることができる網部の柄と、桶底の空気穴を特徴とする請求項１記載の線香桶
【発明の詳細な説明】
【技術分野】
【０００１】  この発明は、墓参時に用いる火のついた線香束を持ち運ぶ容器に関する。
【背景技術】
【０００２】  墓参時、生花や水桶とともに、火のついた線香束を持ち運ぶ。
【発明の開示】
【発明が解決しようとする課題】
【０００３】  しかしながら、以上の技術によれば、生花や水桶などにより両手が塞がった状態で、更に火のついた線香束を持ち運ぶのは非常に困難である。
そこで、この発明は、火のついた線香束を水桶に掛けて持ち運ぶことができる線香桶を提供することを課題とする。
【課題を解決するための手段】
【０００４】  以上の課題を解決するために、第一発明は、水桶に掛けて持ち運べるように長いとってがついており、長い柄のついた網状の内底を設けたことを特徴とする線香桶である。
また、第二発明は、線香桶の底より網状の内底が上部に止まるように線香桶の縁に掛けることができる網部の柄と、桶底の空気穴を特徴とする線香桶である。
【発明の効果】
【０００５】  第一発明によれば、線香桶のとってを水桶上部に掛けることができ、両手が塞がっていても火のついた線香束を持ち運ぶことができる。また、線香束の点火部分を下に向けて網の上に乗せることにより、網状の内底についた長い柄を引き上げることで線香束の取り出しを安全に行うことができる。
また、第二発明によれば、線香桶の底より上部に止まった網状の内底と桶底の穴とにより空気が通り、線香束の火が消えるのを防ぐことができる。
【発明を実施するための最良の形態】
【０００６】  この発明の一実施形態を、図１、図２に示す。
線香桶の本体１はアルミ製であり、５００ｍｌ缶に相当する大きさである。この本体１の側面には、金属製のとって２が設けられている。網状の内底３には長い柄４が設けられている。線香桶の本体１の底には穴５が多数設けられている。【０００７】「実施形態の効果」
この実施形態によれば、とって２により、そのまま持ち運ぶことはもちろん、水桶の上部に掛けて持ち運ぶことができる。長い柄４により線香桶の本体１の底より上部に止まった網状の内底３と桶底の穴５とにより空気が通る。したがって、線香束の火を下に向けて入れても火が消えてしまうのを防ぐことができる。また、長い柄４を引き上げることによって、火のついた線香束を安全に取り出すことができる。【０００８】「他の実施形態」
図１、図２の実施形態では、穴５により、空気の通りを良くしているが、他の実施形態では、線香桶の本体１の底を無くしたものでも良い。また、線香桶の本体１は５００ｍｌ缶に相当する大きさとあるが、他の実施形態では、線香束１本用、２本用というように、用途によって大きさが異なったものでも良い。
【図面の簡単な説明】
【０００９】
【図１】この発明の一実施形態を示す斜視図である。
【図２】この発明の一実施形態を示す内部斜視図である。
【符号の説明】
【００１０】  １  線香桶本体            ２  とって
３  内底（網状）          ４  柄
５  穴（通気口）
【図１】
2006000607.tif 000003
【図２】
2006000607.tif 000004
(57)【要約】【課題】従来の食器かご内に溜まっていた水を自然に排水することで食器かご内を衛生に保ち、また食器かごを簡単に水洗いする器具を提案する。【解決手段】食器かご本体（図２）のように食器かご底面全体に排水口（２）を中心に扇状に傾斜を付けることで排水口（２）から食器かご内に落ちた水が排水ホースを通って自然に排水されるようにしたもの、またこの排水口（２）の内側には（４）のような排水口栓を排水口（２）に差し込むことで（図１）のように蛇口から水道水をひっぱってきて食器かご内に水を溜めて洗浄することもできるようにしたもの。蛇口から水を引く場合ホース先端部を漏斗状受け口（１）を付ける事でどのようなタイプの蛇口からでも簡単に水を排水口（３）から食器かご内に取り込めるようにしたものである。【選択図】図１
2006000602.tif 000002
【特許請求の範囲】
【請求項１】
本器具は食器かご内の溜まり水を食器かご底面に傾斜を付け底部に穴をあける事で自然に水を排水してくれるものである。
【請求項２】
蛇口から食器かごに接続されている漏斗付のホースで簡単に水道水を食器かご内に取り込むことで、食器かご内での濯ぎ洗いを出来るようにしたものである。
【請求項３】
ホースの先に漏斗状の受け口を付けその先端部にゴム状の蛇口に引っ掛けるひもを付けることでどのタイプの蛇口からでも手放しで水道水を取り込む事ができるようにしたものである。
【発明の詳細な説明】
【発明の詳細な説明】
【技術分野】
【０００１】本発明は従来の食器かごの底面に傾斜をつけておくことで、この傾斜の最下部（側面又は底面）にあけた穴から食器かご内に残った水分をかご内から出して、食器かご内を衛生に保つ食器かごに関するものである。
【背景技術】
【０００２】従来の食器かごは洗った食器の水きりに使用したものである。
【発明が解決しようとする課題】
【０００３】従来の食器かごは洗った食器を入れると食器についた水分はそのまま下に溜まった状態のものであった。食器かごは水が下に溜り、それを何日か放っておくと、かご内が不衛生になりがちであった。食器かご自体を洗う場合、かご本体が大きく流し台で洗うのが不便であった。
【課題を解決するための手段】
【０００４】食器かご本体（図２）のように食器かご底面に排水口（２）を中心にして扇状に傾斜を付け排水口（２）から接続の排水ホース（９）を通って食器かご内に落ちた水が排水されるようにしたもの、この（２）は底面において一番低い位置にあるものとする。またこの（２）の内側には、排水口詮（４）を排水口（２）に差し込むことで（図１）のように蛇口から水道水を引いてきて食器かご内に水を溜めて洗浄することもできるようにしたもの。蛇口から水を引く場合ホース先端部に漏斗状受け口（１）を付ける事でどのようなタイプの蛇口からでも引いてきた水を給水口（３）から食器かご内に取り込めるようにしたものである。
【発明を実施するための最良の形態】
【０００５】本発明の実施形態について説明する。
（イ）どのような蛇口からでも水をひくために漏斗状受け口（１）を設ける。
（ロ）蛇口より水をひくとき漏斗状受け口を固定するためにゴム状引っ掛け紐（５）を漏斗状受け口に付ける。
（ハ）食器かご受け部本体（１０）側面上部に給水口（３）を設ける。
（ニ）食器かご受け部本体（１０）側面下部に排水口（２）を設ける。
（ホ）食器かご受け部本体（１０）底面は排水口（２）を中心に扇状に傾斜を付ける。この排水口（２）は底面の最下部にくるものとする。
（ヘ）本体内側の排水口（２）の上部にはこの穴を塞ぐための排水口栓（４）を設ける。この詮は食器かご受け部本体（１０）の内部に水を溜めるとき使用する。
（ト）食器かご受け部本体（１０）の外側上部には給水ホース未使用時に収納させるためのホースフック（６）を設置。給水ホース（８）は取り外し可能とする。
（チ）食器かご受け部本体（１０）の外側下部には食器かごを移動するときに邪魔になる排水ホース（９）を収納させるためのホースフック（７）を設置する。排水ホースは取り外し可能とする。
本発明は以上の構成よりなる。本発明を使用する時は食器かご受け部本体（１０）の上に食器かご水きり本体（１１）を重ねて流し台の横に置いておく、この場合排水口（２）は排水ホース（９）を付けてこの先端部をシンク内に伸ばしておく、このことで洗った食器を食器かご内に入れたときに食器かご底面に落ちる水を自然にシンク内に落としてくれる。食器かごを洗うときには、まず漏斗状受け口（１）をゴム状引っ掛け紐（５）を蛇口に引っ掛ける。次に排水口詮（４）を排水口（２）に差し込み蛇口を開詮し水道水を食器かご内に取り込み水を溜めることで内部を洗浄することができる。また食器かご移動時には、排水口栓（４）を排水口内側（２）に差し込む事で食器かご内の水が漏れるのを防ぐものである。収納時には漏斗状受け口（１）を含めた給水ホース（８）はホースフック（６）に、排水口（２）から伸びた排水ホース（９）はホースフック（７）に引っ掛ける事でコンパクトに収納できる。
【発明の効果】
【０００６】これには次のような効果がある。従来食器かごは洗った食器をすぐに入れておく事で食器の水きり効果があったが、その水は食器かご底面にたまり、そのまま放うっておくと不衛生であるし、小まめに水を捨てる必要があった。本発明により水が底面に溜まって不衛生になる事を防ぎ、また食器かご内に簡単に水道水を取り込み本体を移動せずにして洗う事が出来るようにしたものである。
【図面の簡単な説明】
【図１】      本発明斜面図
【図２】      本発明内側構造斜面図
【図３】      本発明側面図
【符号の説明】
（１）漏斗状受け口、（２）排水口、（３）給水口、（４）排水口詮、（５）ゴム状引っ掛け紐、（６）ホースフック（給水用ホース）、（７）ホースフック（排水用ホース）、（８）給水ホース、（９）排水ホース、（１０）食器かご受け部本体、（１１）食器かご水きり部本体
【図１】
2006000602.tif 000003
【図２】
2006000602.tif 000004
【図３】
2006000602.tif 000005
(57)【要約】【課題】今迄の盲人用足踏ブロックは先見性がなかった。【解決手段】路面、床面に鉄線を引き、ツエの先端に磁石を付けて、その引力で方向を予知するためのツエ。【撰択図】図１【特許請求の範囲】
【請求項１】
路面、床面に備えた鉄線と、ツエの石突に備えた磁石が引き合うようにし、図〔１〕、図〔２〕のように、上から糸で小面鉄板をたらして、磁石を付着させ、石突の囲りに砂鉄等がついた時は、これを取除くため、上部（ツエの中は中空とする）に付けた溝から出ているツマミを引くと磁石は上に引かれ、磁石の影響から逃れた砂鉄等は下に落るように作ったツエ。
【請求項２】
図〔３〕のように石突内側に曲りにフィットするように長方形の磁石をぐるりと取り付けツエと鉄線とが引き合うようにし、又その外側に磁石より上にストッパー付きのカバーをかぶせ、ツエをカバーから途中まで引き抜くと、ストッパーで止められた砂鉄等が下に落ちるように作ったツエ。
【請求項３】
石突の外側に曲面にフィットするようにぐるりと磁石を付け、（〔６〕図）、ツエと鉄線が引き合うようにし、その外側に外部石突としてカバーをかぶせこのカバーの磁石より上方に付けたストッパーにより、ツエを途中まで引抜くと、付着した砂鉄等が落ちるようにしたツエ。
【発明の詳細な説明】
【技術分野】
【０００１】  盲人歩行補助のための磁石付ツエ
【技術背景】
【０００２】  従来は、路面又は床面に足で踏んで方向を判別するブロックがあった。
【発明が解決しようとする課題】
【０００３】  従来の方法では足で踏まないと方向を予見できなかった。それを、路面、又は床面に引いた鉄線と磁石を組み込んだツエとの引力で判別する。そのためのツエ。
【課題を解決するための手段】
【０００４】  磁石を組み込んだツエを作るために〔１〕図のように石突の中に棒磁石を入れる。
又は〔３〕図のように石突の内側にカーブにフィットするように長方形の磁石をぐるりと取付ける。或は〔６〕図のように石突の外側にカーブにフィットさせて長方形の磁石をぐるりと取付ける。
又、石突の囲に付着した砂鉄等を取除くために、棒磁石の場合は図〔２〕のように磁石の上面に付着させた鉄板に糸を付けて、上方に引き上げ磁石の影響がなくなって砂鉄等が下に落ちるようにする。
この為に、砂鉄が磁石といっしょに上に上らないように、図〔２〕のようにストッパーを付ける。又、磁石を上に引き上げるためのツマミをツエに切り込んだ溝から外に出した糸に取付ける。
又、石突の内側、又は外側に長方形の磁石をぐるりと取付ける場合は、その石突の外側にもう１枚外部石突（カバー）図〔７〕を少し長めに取付けこのカバにもストッパーを取付けて、ツエをカバーから途中まで引抜くと砂鉄等が下に落ちるように作るツエ。
【発明を実施するための最良の形態】
【０００５】路面又は床面の鉄線との引力でツエで方向を知り、又このツエの磁石で路面に設置した情報機器の磁気スイッチをオンにすることができる。
【発明の効果】
【０００６】簡単な手段で、安価に盲人用の歩行補助ができる。
【図面の簡単な説明】
【０００７】
【図１】棒磁石を入れる石突
【図２】ストッパーと磁石を引き上げるための糸を結んだツマミを出す切り口を付けたツエ本体。
【図３】内側に磁石を付けた石突。
【図４】長方形磁石の平面図と側面図。
【図５】内側に磁石を付けた石突のＡＢ断面。外側の場合は磁石が外になる。
【図６】外側に磁石を付けた石突
【図７】内側、外側に磁石を付けた石突のカバー
【図１】
2006000609.tif 000002
【図２】
2006000609.tif 000003
【図３】
2006000609.tif 000004
【図５】
2006000609.tif 000005
【図４】
2006000609.tif 000006
【図６】
2006000609.tif 000007
【図７】
2006000609.tif 000008
(57)【要約】【課題】歩行を支援する機能をもった装置が、斜面に対応する機能を提供する。【解決手段】  本発明は、本体と本体に連結された肘掛を備え、肘掛（１）に肘を掛けることにより使用者を支持する歩行支援機であって、その肘掛は、本体に対して角度調節が可能である機能を備えることによって、歩行支援機使用者の斜面での安定した歩行を実現することができることを特徴とする。【選択図】  図１
2006000601.tif 000002
【特許請求の範囲】
【請求項１】
本体と本体に連結された肘掛を備え、肘掛に肘を掛けることにより使用者を支持する歩行支援機であって、その肘掛は、本体に対して角度調節が可能であることを特徴とする歩行支援機。
【請求項２】
歩行支援機の傾きを測定する測定器を備え、その測定器から得られる傾きに応じて、肘掛の角度を調節することを特徴とする請求項１記載の歩行支援機。
【請求項３】
前記肘掛は、昇降機能を備えることを特徴とする請求項１または請求項２記載の歩行支援機。
【請求項４】
前記本体は、脚部と胴体部を備え，その胴体部の上方に肘掛、下方に脚部を備え、脚部に対して胴体部が回転可能であることを特徴とする歩行支援機。
【発明の詳細な説明】
【技術分野】
【０００１】  本発明は、高齢者や足の不自由な障害者を支援する歩行支援機に関するものである。
【背景技術】
【０００２】  従来、歩行支援機において、立ち上がる動作や座る動作等の屈伸動作を支援する支援装置としては、腕を支える部分をラックとギヤによって上下動させるものがあったが、腕を支える肘掛部分の角度を変化させることによって斜面への対応を図ることは不可能であった。（特許文献１参照）
【特許文献１】特開平第８−２１５２５０号公報
【発明の開示】
【発明が解決しようとする課題】
【０００３】  これは、次のような欠点があった。
従来の歩行支援機は、傾斜地を移動する場合に安定した歩行を支援するものではなかった。
また従来の起立、着席動作を補助する歩行支援機は、起立、着席動作を補助するための上下動する機構にラックを使用しモータで行うものが多く、効率的ではなかった。
本発明は、以上のような欠点を失くすためになされたものである。
【課題を解決するための手段】
【０００４】  本発明は、本体と本体に連結された肘掛を備え、肘掛に肘を掛けることにより使用者を支持する歩行支援機であって、その肘掛は、本体に対して角度調節が可能である機能を備える。【０００５】  本発明は、前記肘掛を備えることによって、歩行支援機使用者の斜面での安定した歩行を実現することができる。【０００６】  本発明は、歩行支援機の傾きを測定する測定器を備え、その測定器から得られる傾きに応じて、肘掛の角度を自動的に調節することが可能である機能を備える。【０００７】  本発明は、前記測定器を備えることによって、歩行支援機使用者の斜面での負担を減らすことができる。【０００８】  本発明は、前記肘掛に、昇降機能を備える。【０００９】  本発明は、前記肘掛を備えることによって、歩行支援機使用者の日常生活での起立、着席動作を補助することが可能である。【００１０】  本発明の前期本体は、脚部と胴体部を備え，その胴体部の上方に肘掛、下方に脚部を備え、脚部に対して胴体部が回転可能である。【００１１】  本発明は、前記脚部に対して胴体部が回転可能であることによって、肘掛と地面との高さを曲線的に変化させることが可能になる。
【発明を実施するための最良の形態】
【００１２】  図１を参照すると、本体と本体に連結された肘掛を備え、肘掛（１）に肘を掛けることにより使用者を支持する歩行支援機であって、その肘掛は、本体に対して角度調節が可能である。【００１３】  また、歩行支援機の傾きを測定する測定器（４）を備え、その測定器（４）から得られる傾きに応じて、肘掛（１）の角度を調節することが可能である。【００１４】  また、前記肘掛（１）は、昇降機能を備えることを特徴とし、前期本体は、脚部と胴体部を備え，その胴体部（５）の上方に肘掛（１）下方に脚部（６）を備え、脚部（６）に対して胴体部（５）が回転可能であることを特徴とする。【００１５】  また、前記脚部（６）は、コの字形をしており、四隅にキャスタ（７）を備え、脚部（６）の進行方向（８）側の２つの角に胴体部（５）の一対が回転する軸支で連結される。【００１６】  図２は本発明の一実施例を示す斜視図であり、本発明の片側半分の図を示している。肘掛（１）の部分の角度を変化させることが可能で、（ｂ）が通常時、（ａ）、（ｃ）が斜面への対応時である。【００１７】  図３は本発明の一実施例を示す斜視図であり、本発明の片側半分の図を示している。肘掛（１）部分の高さを変化させることが可能で、（ｄ）が着席時で、（ｅ）が起立時である。【００１８】  図４は本発明の一実施例を示す斜視図であり、この図４において９は歩行支援を受ける使用者、１０は、使用者（９）の歩行を支援する歩行支援機である。【００１９】  使用者（９）は、肘掛（１）の間に立ち、肘掛（１）に肘をかけて使用し、ジョイスティック（１１）で歩行支援機（１０）を操作する。【００２０】  図５は本発明の歩行支援機（１０）の斜面対応の制御構成を示すブロック図であり、この図５において測定器（４）からの角度データをＣＰＵ（１２）で処理し、肘掛（１）の角度を変化させる。
【図面の簡単な説明】
【００２１】
【図１】本発明の歩行支援機の基本的構成を示す斜視図である。
【図２】本発明の歩行支援機の片側半分の斜面対応機能を示す斜視図である。
【図３】本発明の歩行支援機の片側半分の起立着席対応機能を示す斜視図である。
【図４】本発明の歩行支援機の一実施例を示す斜視図である。
【図５】本発明の歩行支援機の斜面対応の制御構成を示すブロック図である。
【符号の説明】
１・・・肘掛
２・・・スライド部
３・・・スライド部
４・・・測定器
５・・・胴体部
６・・・脚部
７・・・キャスタ
８・・・進行方向
９・・・使用者
１０・・・歩行支援機
１１・・・ジョイスティック
１２・・・ＣＰＵ
【図１】
2006000601.tif 000003
【図２】
2006000601.tif 000004
【図３】
2006000601.tif 000005
【図４】
2006000601.tif 000006
【図５】
2006000601.tif 000007
(57)【要約】【課題】ブランコ状の足掛け板に足を掛け、腰を床より５ｃｍ程度浮かせ、自重により腰を伸ばす。腰痛緩和、予防及び腰部の柔軟体操等を行う器具を提供する。【解決手段】両サイドフレーム枠の、頂部に取りつけた金具より、吊り下げ紐またはクサリを吊り下げ、足掛け板を金具で連結し、ブランコ状態とした、形態を特徴とする足掛け腰伸ばし器。【選択図】図１
2006000606.tif 000002
【特許請求の範囲】
【請求項１】
両サイドフレーム枠の頂部に、吊り下げ紐またはクサリ等を掛ける為の金具を取り付け、金具より吊り下げた、紐またはクサリに、足掛け板を連結させブランコ状とした形態を特徴とする、足かけ腰伸ばし器。
【発明の詳細な説明】
【技術分野】
【０００１】  本発明は、ブランコ状の足掛け板に足を掛け、腰を床より遊離させ、自重により腰を伸ばし、腰痛緩和予防及び腰部の柔軟体操等を行う足かけ腰伸ばし器に関するもので、両サイドフレーム枠の頂部に、吊り下げ紐またはクサリ等を掛ける金具を取り付け、金具より吊り下げた、紐またはクサリに、足掛け板を連結させブランコ状とした形態を特徴とする、足掛け腰伸ばし器である。
【背景技術】
【０００２】  腰痛には、急性腰痛症、椎間板ヘルニヤ、慢性腰痛症等があり、これらは腰椎に荷重な負担がかかる事や、運動不足による筋力の低下、老化による変形などが原因とされている。その治療法のひとつとして、医院による牽引療法が広く行われている。
【発明の開示】
【発明が解決しようとする課題】
【０００３】  それには次のような問題点があった。
（イ）医院で治療を受ける為には、時間的制約があり、時間調整が大変である。
（ロ）近くに治療医院がない人も多く、交通手段が大変である。
（ハ）治療を受けたい時に、休診日などにより治療を受けられない時もある。
（ニ）２度、３度の治療では直らず、長期通院をよぎなくされる。
（ホ）腰痛が和らいでも、不安解消の為治療を続ける人も多く、国の保険料の負担が多      くなる。
本発明は、以上の問題点を解決しようとするものである。
【課題を解決する為の手段】
【０００４】  本発明は両サイドフレーム枠の頂部に、吊り下げ紐またはクサリ等（５）を掛ける為の金具（４Ａ）を取り付ける。
金具（４Ａ）より吊り下げた、紐またはクサリ等（５）を、金具（４Ｂ）に連結させて足掛板（６）をブランコ状とした、形態を特徴とする足掛け腰伸ばし器。
【発明の効果】
【０００５】  （イ）本発明は、家庭や職場、集会所、あらゆる場所で使用できるよう、軽量かつコン      パクトなサイズに出来ており、仕事の合間や帰宅後約５〜１０分の短時間の使用で      充分な効果が得られる。
（ロ）足掛け板がブランコ状なので、揺動運動等を加えることにより、背筋、腹筋、股      関節などの緊張緩和及び筋力強化になる。
【発明を実施する為の最良の形態】
【０００６】  以下本発明の形態について説明する。
（イ）サイドフレーム（１）の頂部に、吊り下げ紐又はクサリ等（５）を掛ける為の金      具（４Ａ）を取りつける。
（ロ）金具（４Ａ）に、吊り下げ紐（５）を掛けて吊り下げる。
（ハ）足掛け板（６）の、両側に吊り下げ紐（５）を連結する為の金具（４Ｂ）を取り      つける。
（ニ）金具（４Ｂ）に、吊り下げ紐（５）を連結し、足掛け板（６）をブランコ状にす      る。
（ホ）足掛け板にクッション材（６Ａ）を取り付け、膝裏の圧迫感を和らげる。
（ヘ）ベースフレーム（２）の両先端に、滑り止めと安全のために、ゴム製とか樹脂製      のパッド（８）と取りつける。
（ヘ）サイドフレーム（１）は、下連結金具（２Ａ）に差し込み、ボルト（７）で固定      し、高さ調整可能とする。
本発明は、以上のような構成により、これを使用する時は、仰向けになり足掛け板（６）に両足を掛け、腰部を床より遊離させ、自重により腰を伸ばす。
またブランコ状を利用して、ストレッチ運動を加えることにより、腸腰筋、大腿屈筋群等が牽引され、筋緊張を緩和しようとするものである。
【実施例１】
【０００７】  図３に示すように、足掛け板に足を掛け約５〜１０分静止してぶら下がった状態でいる。
数日間使用し、腰が楽になってきたら、ブランコ状を利用して腰を左右に動かし荷重を加える事により、多くの効果が出る。
【実施例２】
【０００８】  図３の状態で、交互に片足を上に上げたり、また上に上げた片足を右足を左側に、左足を右側に交差させ、腸腰筋を伸ばす。
【図面の簡単な説明】
【０００９】
【図１】本発明の斜視図
【図２】本発明の分解斜視図
【図３】本発明の使用状態を示す斜視図
【符号の説明】
【００１０】    １          サイドフレーム
２          ベースフレーム
２Ａ        下連結金具
３          連結棒
３Ａ        上連結金具
４Ａ，４Ｂ  金具
５          吊り下げ紐
６          足掛け板
６Ａ        クッション材
７          ボルト
８          パッド
【図１】
2006000606.tif 000003
【図２】
2006000606.tif 000004
【図３】
2006000606.tif 000005